(57)【要約】【課題】仮設用資材を仮設足場の所要高さ位置に仮置きする際に、仮設足場の所要高さ位置から仮設用資材が不測に落下しないよう安全に仮置きすることができるとともに、仮設足場の枠組み作業に支障を来さないような位置に仮置きすることができる仮置き装置を提案する。【解決手段】支柱１のフランジ部材２の楔孔２ａを利用してこれに差し込み係合する差し込み金具５が上部側に設けられ、下部側に支柱本体１ａの側面に当接する当接支持部材６が設けられてなる管状保持部材７が支柱１のフランジ部材２に楔止される仮設足場Ａの長尺単管３ａに沿って仮設足場Ａとの間で仮設用資材３を立て掛ける余裕の間隙を有するよう配設される。【選択図】図２
2010077648.tif 000002
【特許請求の範囲】
【請求項１】
支柱本体に所要間隔でフランジ部材が固着されてなる支柱間に、前記フランジ部材に楔止めされて安全手摺用或いは支柱間連結用の長尺単管が順次高所に向かって多段状に枠組みされる仮設足場において、当該長尺単管が高所に向かって多段状に枠組みされる際に、その枠組み作業途上で当該長尺単管やその他の短尺単管あるいは足場板支持用ブラケット等の仮設用資材を、仮設足場の所要高さ位置に仮置きするための仮置き装置であって、支柱のフランジ部材の楔孔を利用してこれに差し込み係合する差し込み金具が上部側に設けられ、支柱本体の側面に当接する当接支持部材が下部側に設けられてなる周枠状の管状保持部材が支柱に沿う縦方向に、且つ支柱のフランジ部材に楔止される上記長尺単管に沿う横方向に延びるように取り付けられてなる仮設用資材の仮設足場への仮置き装置。
【請求項２】
前記周枠状の管状保持部材は、支柱に沿う縦方向に延びる左右部側縦部片と、上記単管に沿う横方向に延びる上下部側横部片とによって四周枠状に形成されてなる請求項１に記載の仮設用資材の仮設足場への仮置き装置。
【請求項３】
前記周枠状の管状保持部材の所要箇所に、該管状保持部材に保持される仮設用資材が該管状保持部材に沿う左右方向に傾倒するのを防止する傾倒防止片が設けられてなる請求項１又は２に記載の仮設用資材の仮設足場への仮置き装置。
【請求項４】
長尺単管からなる仮設用資材は、その下端部が、仮設足場の安全手摺用或いは支柱間連結用として枠組みされている長尺単管に係合され、その上部側が前記管状保持部材に当接して保持されるようになっている請求項１〜３の何れかに記載の仮設用資材の仮設足場への仮置き装置。
【請求項５】
短尺単管又は足場板支持用ブラケット等の短尺な仮設用資材は、その下端部が、前記管状保持部材の下部側横部片に係合され、その上部側が前記管状保持部材の上部側横部片に当接して保持されるようになっている請求項１〜３の何れかに記載の仮設用資材の仮設足場への仮置き装置。
【発明の詳細な説明】
【技術分野】
【０００１】
本発明は、建築現場に枠組み仮設される仮設足場において、仮設足場の枠組みの際に、仮設足場を構成する安全手摺等の仮設用資材を、枠組み作業を能率的に行うために枠組み作業途上の仮設足場に仮置きするための仮置き装置に関する。
【背景技術】
【０００２】
図９に示すように、建築現場では、新築や改装作業のために、建物Ｈの周囲に仮設足場Ａが枠組み仮設される。この仮設足場Ａは、単管よりなる支柱本体１ａに複数の板状のフランジ部材２が所要間隔に溶接固着された支柱１が、建物Ｈの周囲に沿うように直立配設されるとともに、各支柱１，１間に安全手摺用や支柱１，１間を連結する支柱間連結用の長尺な単管３ａがフランジ部材２に楔止めされる。そしてまた、仮設足場Ａは、各支柱１，１間に、足場板４を取り付けるための支柱間連結用の短尺な単管３ｂがフランジ部材２に楔止めされ、さらに、各支柱１，１間に足場板４を取り付けるための片持ち状の足場板支持用ブラケット３ｃがフランジ部材２に楔止めされている。このようにして、仮設足場Ａは、長尺な単管３ａ、短尺な単管３ｂ、足場板支持用ブラケット３ｃ等の仮設用資材３が地上の最下層から順次高所に向かって多段状に枠組みされる。
【０００３】
この際、仮設用資材３を用いて順次最下層から高所に向かって枠組みされるにつれて、仮設用資材３を地上から高所にいちいち運搬するのでは不能率であるから、高所作業になるにつれて、図示のように所定高さ位置に枠組みされている足場板４に、多数の長尺な単管３ａ、短尺な単管３ｂ、足場板支持用ブラケット３ｃ等の仮設用資材３を一旦仮置きしておく。そして、その位置から仮設用資材３を用いてその後の枠組み作業を行うようにすれば、いちいち地上から仮設用資材３を運搬するのに比べて枠組み作業を格段に能率的に行うことができる。
【０００４】
しかし、これら仮設用資材３を足場板４に仮置きするのに、図示のように足場板４上に仮設用資材３を単に載置しておくだけであるから、作業者が仮設用資材３に足を取られたり、仮設用資材３が不測に足場板４上から落下する危険性が多分にあった。
【発明の開示】
【発明が解決しようとする課題】
【０００５】
上記のように、仮設用資材を仮設足場の所要高さ位置に仮置きするのに、足場板上に単に載置するだけであるから、仮置き状態が極めて不安定であり、また枠組み作業の支障にもなっていた。
【０００６】
そこで本発明は、仮設用資材を仮設足場の所要高さ位置に仮置きする際に、仮設足場の所要高さ位置から仮設用資材が不測に落下しないよう安全に仮置きすることができるとともに、仮設足場の枠組み作業に支障を来さないような位置に仮置きすることができる仮置き装置を提案することを解決課題とする。
【課題を解決するための手段】
【０００７】
上記課題を解決するための手段を、後述する実施形態の参照符号を付して説明すると、支柱本体１ａに所要間隔でフランジ部材２が固着されてなる支柱１，１間に、前記フランジ部材２に楔止めされて安全手摺用或いは支柱間連結用の長尺単管３ａが順次高所に向かって多段状に枠組みされる仮設足場Ａにおいて、当該長尺単管３ａが高所に向かって多段状に枠組みされる際に、その枠組み作業途上で当該長尺単管３ａやその他の短尺単管３ｂあるいは短尺な足場板支持用ブラケット３ｃ等の仮設用資材３を、仮設足場Ａの所要高さ位置に仮置きするための仮置き装置であって、支柱１のフランジ部材２の楔孔２ａを利用してこれに差し込み係合する差し込み金具５が上部側に設けられ、支柱本体１ａの側面に当接する当接支持部材６が下部側に設けられてなる周枠状の管状保持部材７が支柱１に沿う縦方向に、且つ支柱１のフランジ部材２に楔止される上記長尺単管３ａに沿う横方向に延びるようにして、仮設足場Ａの足場板４との間で仮設用資材３を立て掛ける余裕の隙間があるように取り付けられてなることを特徴とするものである。
【０００８】
また請求項２に係る発明は、請求項１に記載の仮設用資材の仮設足場への仮置き装置において、前記周枠状の管状保持部材７は、支柱１に沿う縦方向に延びる左右部側縦部片７ａ，７ｂと、上記長尺単管３ａに沿う横方向に延びる上下部側横部片７ｃ，７ｄとによって四周枠状に形成されてなることを特徴とするものである。
【０００９】
また請求項３に係る発明は、請求項１又は２に記載の仮設用資材の仮設足場への仮置き装置において、前記周枠状の管状保持部材７の所要箇所に、該管状保持部材７に保持される仮設用資材３が該管状保持部材７に沿う左右方向に傾倒するのを防止する傾倒防止片８，９，１０が設けられてなることを特徴とするものである。
【００１０】
また請求項４に係る発明は、請求項１〜３の何れかに記載の仮設用資材の仮設足場への仮置き装置において、長尺な仮設用資材３（３ａ）は、その下端部が、仮設足場Ａの安全手摺用或いは支柱間連結用として枠組みされている長尺単管３ａに係合され、その上部側が前記管状保持部材７に当接して保持されるようになっていることを特徴とするものである。
【００１１】
また請求項５に係る発明は、請求項１〜３の何れかに記載の仮設用資材の仮設足場への仮置き装置において、短尺な仮設用資材３（３ｂ，３ｃ）は、その下端部が、前記管状保持部材７の下部側横部片７ｄに係合され、その上部側が前記管状保持部材７の上部側横部片７ｃに当接して保持されるようになっていることを特徴とするものである。
【発明の効果】
【００１２】
請求項１に係る発明によれば、支柱１のフランジ部材２の楔孔２ａを利用してこれに差し込み係合する差し込み金具５が上部側に設けられ、支柱本体１ａの側面に当接する当接支持部材６が下部側に設けられてなる周枠状の管状保持部材７が支柱１に沿う縦方向に、且つ支柱１のフランジ部材２に楔止される上記長尺単管３ａに沿う横方向に延びるように取り付けられてなることを特徴とするものである。そのため、長尺単管３ａや短尺単管３ｂあるいは短尺な足場板支持用ブラケット３ｃ等の仮設用資材３が高所に向かって多段状に枠組みされる際に、その枠組み作業途上でこれらの仮設用資材３を、仮設足場と周枠状の管状保持部材７との間で、確実に保持することができ、作業者が作業中に仮設用資材３に触れても、仮設用資材３は管状保持部材７から落下することがなく安全に仮置きすることができ、しかも、仮設用資材３は足場板４の側面側に立て掛けて仮置きするものであるから、足場板４の作業面上での作業に支障を来すことない。
【００１３】
また請求項２に係る発明によれば、前記周枠状の管状保持部材７は、支柱１に沿う縦方向に延びる左右部側縦部片７ａ，７ｂと、上記長尺単管３ａに沿う横方向に延びる上下部側横部片７ｃ，７ｄとによって四周枠状に形成されてなるため、構造が簡単であるにもかかわらず、強度のある保持部材とすることができる。
【００１４】
また請求項３に係る発明によれば、前記周枠状の管状保持部材７の所要箇所に、該管状保持部材７に保持される仮設用資材３が該管状保持部材７に沿う左右方向に傾倒するのを防止する傾倒防止片８，９，１０が設けられてなるため、仮設用資材３が足場板４の側面側４ａに立て掛けて多数仮置きされる場合にあっても、該仮設用資材３は、管状保持部材７と仮設足場との間で前後のみならず左右にも傾倒するのを防止し、仮設用資材３を確実に管状保持部材７に保持させることができる。
【００１５】
また請求項４に係る発明によれば、長尺な仮設用資材３は、その下端部が、仮設足場の安全手摺用或いは支柱間連結用として枠組みされている長尺単管３ａに係合され、その上部側が前記管状保持部材７に当接して保持されるようになっているから、仮設用資材３がかなり長尺なものであっても、確実に管状保持部材７によって保持することができる。
【００１６】
また請求項５に係る発明は、短尺な仮設用資材３は、その下端部が、前記管状保持部材７の下部側横部片７ｄに係合され、その上部側が前記管状保持部材７の上部側横部片７ｃに当接して保持されるようになっているから、仮設用資材３がかなり短尺なものであっても、確実に管状保持部材７によって保持することができる。
【発明を実施するための最良の形態】
【００１７】
以下に本発明の好適な一実施形態を図面に基づいて説明すると、図１は仮設足場Ａを示し、従来と同じように、鋼製単管よりなる支柱本体１ａに複数の板状のフランジ部材２が所要間隔に溶接固着されてなる支柱１が、建物Ｈの周囲に沿うように直立配設される。そして、その各支柱１，１間に、安全手摺用や支柱１，１間を連結する支柱間連結用の長尺な単管３ａがフランジ部材２に楔止めされ、また、各支柱１，１間に足場板４を取り付けるための短尺な単管３ｂがフランジ部材２に楔止めされ、さらに、各支柱１，１間に足場板４を取り付けるための主に片持ち用の足場板支持用ブラケット３ｃがフランジ部材２に楔止めされる。このようにしてこれら長尺な単管３ａ、短尺な単管３ｂ、短尺な足場板支持用ブラケット３ｃ等の仮設用資材３が地上の最下層から順次高層階に向かって多段状に枠組みされる。
【００１８】
そして、本発明の特徴とする点であるが、図示のように、支柱間連結用の長尺な単管３ａ、短尺な単管３ｂ、足場板支持用ブラケット３ｃ等の仮設用資材３が独特構造の周枠状の管状保持部材７によって長尺な単管３ａに沿って足場板の側面側に立て掛け状態に仮置き保持されるようになっていることである。これによる利点は、上述の作用効果の項で説明したとおりである。
【００１９】
本発明の特徴とする管状保持部材７の一実施形態を図２及び図３に基づいて説明すると、図２は本発明に係る仮置き装置を枠組み途上の仮設足場Ａに取り付ける前の状態を示す斜視図で、図３は本発明に係る仮置き装置を枠組み途上の仮設足場Ａに取り付けた後の正面図である。
【００２０】
周枠状の管状保持部材７は、管状部材、例えば仮設足場の単管と同じような鋼製管材によって、図中左部側横部片７ａとこれに対向する右部側横部片７ｂと図中上部側縦部片７ｃとこれに対向する下部側縦部片７ｄとを四周枠状に湾曲一体形成したものからなり、このうち左部側縦部片７ａの上部側に、支柱１のフランジ部材２の楔孔２ａを利用してこれに差し込み係合する差し込み金具５が溶接によって設けられ、下部側には支柱本体１ａの側面に当接する円弧状部片からなる当接支持部材６が溶接によって設けられてなる。なお、図示では左右部側横部片７ａ，７ｂと上下部側縦部片７ｃ，７ｄとからなる四周枠状に形成されているが、このうち、左部側縦部片７ａは省略してもよい。この場合には、前記差し込み金具５は、下部側横部材７ｄの先端部に設けられる当接支持部材６と同じように、上部側横部材７ｃの先端部に設けられるようにしてもよい。この場合には正確には四周枠状には形成されず，略コ字枠状に形成されるが、本発明では、この略コ字枠状に形成される場合にも周枠状部材７の概念に入るものである。
【００２１】
そして、周枠状の管状保持部材７の上部側横部片７ｃの中央部には、第１の傾倒防止片８が設けられてなり、その第１の傾倒防止片８は、細長い棒材で形成され、その先端部は仮設足場の足場板４の方向に向いて延びており（図５参照）、その基端部は上部側横部片７ｃを貫通してねじ止めされるか、溶接される。また、管状保持部材７の右部側縦部片７ｂの上部には、横向きＵ字状部片によって第２の傾倒防止片９が仮設足場の足場板４の方向に向いて延びるようにねじ止めか、溶接固着され（図５参照）、さらに管状保持部材７の下部側横部片７ｄの略中央部には、上向きＵ字状部片によって第３の傾倒防止片１０がねじ止めか、溶接固着されている。
【００２２】
このような構成からなる管状保持部材７を枠組み途上の仮設足場Ａに取り付けるには、図２及び図３に示すように、支柱本体１ａの側面に当接支持部材６を当接させ、差し込み金具５のコ字状の差し込み孔５ａをフランジ部材２に差し込み、差し込み金具５の上下に形成された係合孔５ｂ，５ｂとフランジ部材２の楔孔２ａとにわたって楔１１を打ち込むことによって、差し込み金具５をフランジ部材２に楔止めすれば、図３に示すように、管状保持部材７を枠組み途上の仮設足場Ａに取り付けることができる。このようにして、管状保持部材７は、その左右部側縦部片７ａ，７ｂが支柱１に沿って縦方向に、また上下部側横部片７ｃ，７ｄが仮設足場の安全手摺用或いは支柱間連結用として横方向に枠組みされている長尺単管３ａに沿って横方向に延びて取り付けられるようになっている。
【００２３】
図４〜図５は、例えば、仮設足場の安全手摺用或いは支柱間連結用として用いられる長尺な単管３ａからなる仮設用資材３を管状保持部材７によって仮設足場Ａに立て掛け仮置きされる状態を示すもので、縦方向に立て掛けられる長尺単管３ａの下端部には、上述のように差し込み金具５が固着されており、この差し込み金具５のコ字状の差し込み孔５ａを利用して、この下向きのコ字状の差し込み孔５ａを仮設足場Ａの支柱１，１間を連結する長尺単管３ａに嵌合して係合し、その上部の中途部を管状保持部材７、正確にはその上下部側横部片７ｃ，７ｄと仮設足場Ａに仮設されている足場板４との間で挟むようにして足場板４の側面側４ａに立て掛けるようにして仮置き保持させる。
【００２４】
上記のようにして図４に示すように、多数の長尺な単管３ａを横方向に延びる上下部側横部片７ｃ，７ｄに沿って横一列に立て掛けることによって、長尺単管３ａが図５中の実線と仮想線との間を動揺しても、仮設足場Ａから前後に離脱して落下することないように保持させることができるが、このままでは単管３ａが上下部側横部片７ａ，７ｂに沿う方向に倒れる恐れがある場合には、図示のように、管状保持部材７の上部側横部片７ｃの中央部に突設された第１の傾倒防止片８と、右部側縦部片７ｂの上部に突設された第２の傾倒防止片９によって、上下部側横部片７ｃ，７ｄに沿う方向に長尺単管３ａが倒れるのを防止するようになっている。（図５参照）。
【００２５】
以上説明した実施形態では、長尺な単管３ａを管状保持部材７に仮置き保持させる方法について述べたが、次に、長尺な単管３ａ以外の仮設用資材３、例えば図１に示すように、足場板４の長手方向両端部をフック掛けするための短尺な単管３ｂや同じく足場板４の長手方向両端部を片持ち状態にフック掛けするための足場板支持用ブラケット３ｃを管状保持部材７に仮置き保持させる方法を図６〜図８を用いて説明する。図６〜図７は、管状保持部材７を枠組み途上の仮設足場Ａに取り付け、短尺な単管３ｂを管状保持部材７に仮置き保持している状態を示し、図８は、足場板支持用ブラケット３ｃを管状保持部材７に仮置き保持している状態を示す。
【００２６】
短尺な単管３ｂの両端部には、長尺な単管３ａと同様、その両端部に支柱１のフランジ部材２に差し込んで楔止めされるための差し込み金具５が固着されており、この差し込み金具５のコ字状開口部５ａを利用して、この下向きコ字状の差し込み孔５ａを管状保持部材７の下部側横部片７ｄに嵌合して係合し、その上部の中途部を管状保持部材７の上部側横部片７ｃと仮設足場Ａに仮設されている足場板４との間で挟むようにして足場板４の側面側４ａに立て掛けるようにして仮置き保持させる。
【００２７】
上記のようにして、図６に示すように、多数の短尺な単管３ｂを横方向に延びる上下側部横部片７ａ，７ｂに沿って横一列に立て掛けることによって、短尺単管３ｂが仮設足場Ａから前後に離脱して落下することないように保持させることができるが、このままでは単管３ｂが上下部側横部片７ｃ，７ｄに沿う方向に倒れる恐れがある場合には、図示のように、管状保持部材７の上部側横部片７ｃの中央部に突設された第１の傾倒防止片８と、右部側縦部片７ｂの上部に突設された第２の傾倒防止片９と、さらに下部側横部片７ｄの中央部に突設されている第３の傾倒防止片１０とに支持させることによって、上下部側横部片７ｃ，７ｄに沿う方向に短尺単管３ｂが倒れるのを防止するようになっている。
【００２８】
また、図８は、足場板支持用ブラケット３ｃを仮設足場Ａに仮置き保持させる状態を示すもので、この足場板支持用ブラケット３ｃにあっても、その両端部には、短尺な単管３ｂと同様、その両端部に支柱１のフランジ部材２に差し込んで楔止めされるための差し込み金具５が固着されており（一端部側にのみ差し込み金具５が固着されているブラケットも存在する。）、この差し込み金具５のコ字状開口部５ａを利用して、この下向きコ字状の差し込み孔５ａを管状保持部材７の下部側横部片７ｄに嵌合して係合し、その上部の中途部を管状保持部材７の上部側横部片７ｃと仮設足場Ａに仮設されている足場板４との間で挟むようにして足場板４の側面側４ａに立て掛けるようにして仮置き保持させる。そして、短尺の単管３ｂと同じように、第１〜第３の傾倒防止片８〜１０に支持されることによって、上下側部横部片７ｃ，７ｄに沿う方向に短尺単管３ｂが倒れるのを防止するようになっている。
【００２９】
以上説明した本発明の一実施形態によれば、管状保持部材７に長尺な仮設用資材３、短尺な仮設用資材３を別々に保持させる例を示したが、勿論、管状保持部材７に長尺な仮設用資材３及び短尺な仮設用資材３を共に並列して保持させることもできる。
【図面の簡単な説明】
【００３０】
【図１】本発明に係る仮置き装置によって、枠組み途上の仮設足場に仮設用資材を仮置き保持させている状態を示す全体図である。
【図２】本発明に係る仮置き装置の仮設足場へ取り付ける前の状態を示す斜視図である。
【図３】同仮置き装置を仮設足場へ取り付けた状態を示す正面図である。
【図４】同仮置き装置を仮設足場へ取り付け、長尺な単管を保持させた状態を示す正面図である。
【図５】同側面図である。
【図６】本発明に係る仮置き装置を仮設足場へ取り付け、短尺な単管を保持させた状態を示す正面図である。
【図７】同側面図である。
【図８】同仮置き装置を仮設足場へ取り付け、足場板支持用ブラケットを保持させた状態を示す側面図である。
【図９】従来の枠組み途上の仮設足場に仮設用資材を仮置き保持させている状態を示す全体図である。
【符号の説明】
【００３１】
Ａ                仮設足場
１                支柱
１ａ              支柱本体
２                フランジ部材
２ａ              楔孔
３                仮設用資材
３ａ              長尺な単管
３ｂ              短尺な単管
３ｃ              足場板支持用ブラケット
５                差し込み金具
６                当接支持部材
７                管状保持部材
７ａ              左部側横部片
７ｂ              右部側横部片
７ｃ              上部側縦部片
７ｄ              下部側縦部片
８                第１の傾倒防止片
９                第２の傾倒防止片
１０              第３の傾倒防止片
【図１】
2010077648.tif 000003
【図２】
2010077648.tif 000004
【図３】
2010077648.tif 000005
【図４】
2010077648.tif 000006
【図５】
2010077648.tif 000007
【図６】
2010077648.tif 000008
【図７】
2010077648.tif 000009
【図８】
2010077648.tif 000010
【図９】
2010077648.tif 000011